(57)【要約】【課題】  床板部が枠部から不用意に外れることを防止することができるマンコンベヤの床装置を提供する。【解決手段】  マンコンベヤの床装置においては、固定部は、床板部に対して回転又は揺動可能となるように接続部に連結される連結部と、第１停止部に上方から止められる第１被停止部と、を備え、床装置は、第１被停止部が上下方向視で第１停止部と重なる固定位置に位置する際に、固定部を上方から止める第２停止部を備え、固定部は、第２停止部に上方から止められる第２被停止部を備え、連結部は、第１被停止部が固定位置に位置する際に、幅方向において、第１被停止部と第２被停止部との間に配置される。【選択図】  図２
2020066507.tif 000002
【特許請求の範囲】
【請求項１】
マンコンベヤの乗降口の床を構成するために、幅方向で離れる一対の枠部の間に少なくとも一部が配置される床板部と、
前記床板部の下方に配置され、前記枠部の第１停止部に止められることによって、前記床板部を前記枠部に固定させる固定部と、
前記床板部と前記固定部とを接続する接続部と、を備える、マンコンベヤの床装置であって、
前記固定部は、前記床板部に対して回転又は揺動可能となるように前記接続部に連結される連結部と、前記第１停止部に上方から止められる第１被停止部と、を備え、
前記床装置は、前記第１被停止部が上下方向視で前記第１停止部と重なる固定位置に位置する際に、前記固定部を上方から止める第２停止部を備え、
前記固定部は、前記第２停止部に上方から止められる第２被停止部を備え、
前記連結部は、前記第１被停止部が固定位置に位置する際に、幅方向において、前記第１被停止部と前記第２被停止部との間に配置される、マンコンベヤの床装置。
【請求項２】
前記床板部は、上下方向に貫通する貫通孔を備え、
前記床装置は、前記貫通孔に挿入されて且つ前記床板部に着脱される挿入部材を備え、
前記挿入部材は、前記床板部から下方に突出する端部に、前記第２停止部を備える、請求項１に記載のマンコンベヤの床装置。
【請求項３】
前記第１被停止部が、幅方向で前記第１停止部から離れる退避位置から、固定位置へ向かうように、前記固定部に力を加える加力部を備える、請求項１又は２に記載のマンコンベヤの床装置。
【請求項４】
前記第１被停止部が固定位置に位置する際に、幅方向における前記第１被停止部及び前記連結部間の距離は、上下方向における前記第１被停止部及び前記連結部間の距離よりも、小さい、請求項１〜３の何れか１項に記載のマンコンベヤの床装置。
【請求項５】
乗降口に、幅方向で離れて配置される一対の枠部と、
前記枠部に固定される請求項１〜４の何れか１項に記載の床装置と、を備える、マンコンベヤ。
【発明の詳細な説明】
【技術分野】
【０００１】
本発明は、マンコンベヤの床装置及びマンコンベヤに関する。
【背景技術】
【０００２】
従来、例えば、マンコンベヤの床装置は、マンコンベヤの乗降口の床を構成する床板部と、床板部の下方に配置され、床板部を枠部に固定させる固定部と、床板部と固定部とを接続する接続部とを備えている。そして、固定部は、床板部に対して回転可能となるように接続部に連結される連結部と、下方から吹いた風から力を受けることによって、枠部に引っ掛けられる引掛部とを備えている（例えば、特許文献１）。
【０００３】
ところで、特許文献１に係る床装置においては、風が下方から吹いた場合のみに、引掛部が枠部に引っ掛かることによって、床板部を枠部に固定することができる。しかしながら、例えば、引掛部が事前に枠部に引っ掛かっていたとしても（例えば、特許文献１の図１１参照）、風が下方側から吹いていない状態で、床板部に対して上方へ大きな力が加えられた場合には、固定部が回転し、引掛部が枠部から外れるため、床板部を枠部に固定することができない。
【先行技術文献】
【特許文献】
【０００４】
【特許文献１】特開２０１８−３９６０９号公報
【発明の概要】
【発明が解決しようとする課題】
【０００５】
そこで、課題は、床板部が枠部から不用意に外れることを防止することができるマンコンベヤの床装置及びマンコンベヤを提供することである。
【課題を解決するための手段】
【０００６】
マンコンベヤの床装置は、マンコンベヤの乗降口の床を構成するために、幅方向で離れる一対の枠部の間に少なくとも一部が配置される床板部と、前記床板部の下方に配置され、前記枠部の第１停止部に止められることによって、前記床板部を前記枠部に固定させる固定部と、前記床板部と前記固定部とを接続する接続部と、を備える、マンコンベヤの床装置であって、前記固定部は、前記床板部に対して回転又は揺動可能となるように前記接続部に連結される連結部と、前記第１停止部に上方から止められる第１被停止部と、を備え、前記床装置は、前記第１被停止部が上下方向視で前記第１停止部と重なる固定位置に位置する際に、前記固定部を上方から止める第２停止部を備え、前記固定部は、前記第２停止部に上方から止められる第２被停止部を備え、前記連結部は、前記第１被停止部が固定位置に位置する際に、幅方向において、前記第１被停止部と前記第２被停止部との間に配置される。
【０００７】
また、マンコンベヤの床装置においては、前記床板部は、上下方向に貫通する貫通孔を備え、前記床装置は、前記貫通孔に挿入されて且つ前記床板部に着脱される挿入部材を備え、前記挿入部材は、前記床板部から下方に突出する端部に、前記第２停止部を備える、という構成でもよい。
【０００８】
また、マンコンベヤの床装置においては、前記第１被停止部が、幅方向で前記第１停止部から離れる退避位置から、固定位置へ向かうように、前記固定部に力を加える加力部を備える、という構成でもよい。
【０００９】
また、マンコンベヤの床装置においては、前記第１被停止部が固定位置に位置する際に、幅方向における前記第１被停止部及び前記連結部間の距離は、上下方向における前記第１被停止部及び前記連結部間の距離よりも、小さい、という構成でもよい。
【００１０】
また、マンコンベヤは、乗降口に、幅方向で離れて配置される一対の枠部と、前記枠部に固定される前記の床装置と、を備える。
【図面の簡単な説明】
【００１１】
【図１】図１は、一実施形態に係るマンコンベヤの全体概要図である。
【図２】図２は、図１のII−II線の拡大断面図である。
【図３】図３は、同実施形態に係る床装置の要部縦断面図であって、固定状況を説明する図である。
【図４】図４は、同実施形態に係る床装置の要部縦断面図であって、取り外し方法を説明する図である。
【図５】図５は、同実施形態に係る床装置の要部縦断面図であって、取り外し方法を説明する図である。
【図６】図６は、同実施形態に係る床装置の要部縦断面図である。
【図７】図７は、他の実施形態に係る床装置の要部縦断面図であって、第１被停止部が固定位置に位置する図である。
【図８】図８は、同実施形態に係る床装置の要部縦断面図であって、第１被停止部が退避位置に位置する図である。
【図９】図９は、さらに他の実施形態に係る床装置の要部縦断面図であって、第１被停止部が固定位置に位置する図である。
【図１０】図１０は、同実施形態に係る床装置の要部縦断面図であって、第１被停止部が退避位置に位置する図である。
【図１１】図１１は、さらに他の実施形態に係る床装置の要部縦断面図であって、第１被停止部が固定位置に位置する図である。
【図１２】図１２は、同実施形態に係る床装置の要部縦断面図であって、第１被停止部が退避位置に位置する図である。
【図１３】図１３は、さらに他の実施形態に係る床装置の要部縦断面図であって、第１被停止部が固定位置に位置する図である。
【図１４】図１４は、同実施形態に係る床装置の要部縦断面図であって、第１被停止部が退避位置に位置する図である。
【図１５】図１５は、さらに他の実施形態に係る床装置の要部縦断面図であって、第１被停止部が固定位置に位置する図である。
【図１６】図１６は、同実施形態に係る床装置の要部縦断面図であって、第１被停止部が退避位置に位置する図である。
【図１７】図１７は、さらに他の実施形態に係る床装置の要部縦断面図であって、第１被停止部が固定位置に位置する図である。
【図１８】図１８は、同実施形態に係る床装置の要部縦断面図であって、第１被停止部が退避位置に位置する図である。
【図１９】図１９は、さらに他の実施形態に係る床装置の要部縦断面図であって、第１被停止部が固定位置に位置する図である。
【図２０】図２０は、同実施形態に係る床装置の要部縦断面図であって、第１被停止部が退避位置に位置する図である。
【発明を実施するための形態】
【００１２】
以下、マンコンベヤ及び床装置における一実施形態について、図１〜図６を参照しながら説明する。なお、各図（図７〜図２０も同様）において、図面の寸法比と実際の寸法比とは、必ずしも一致しておらず、また、各図面の間での寸法比も、必ずしも一致していない。
【００１３】
図１に示すように、本実施形態に係るマンコンベヤ１は、躯体に固定される構造部２と、人を搬送する搬送部３と、人につかまれる手摺部４と、搬送部３及び手摺部４を駆動させる駆動部５と、マンコンベヤ１の全体を制御する制御部６とを備えている。なお、本実施形態に係るマンコンベヤ１は、踏面が階段状になるエスカレータであるが、斯かる構成に限られない。例えば、マンコンベヤ１は、踏面が平面状となる移動歩道（動く歩道）であってもよい。
【００１４】
構造部２は、躯体に固定される構造本体部２ａを備えている。構造本体部２ａは、上下階の間に掛け渡されている。なお、構造本体部２ａの構成は、特に限定されないが、例えば、構造本体部２ａは、トラス構造又はケタ構造とすることができる。
【００１５】
また、構造本体部２ａは、上方の端部と下方の端部とに、それぞれ機械室２ｂ，２ｂを備えている。具体的には、構造本体部２ａは、マンコンベヤ１の各乗降口１ａの下方に、機械室２ｂを備えている。そして、マンコンベヤ１は、各乗降口１ａの床を構成するために、各機械室２ｂを上方から覆う床装置７を備えている。なお、構造部２は、各構成３〜７を支持している。
【００１６】
搬送部３は、無端回転する環状の走行部（例えば、チェーン）３ａと、走行部３ａに回転可能に接続され、人が乗る踏面を有する複数のステップ３ｂとを備えている。そして、駆動部５は、走行部３ａが巻き掛けられる一対の回転部（例えば、スプロケット）５ａ，５ａと、回転部５ａを回転させる駆動源（例えば、モータ）５ｂとを備えている。なお、上方の回転部５ａ及び駆動源５ｂは、上方の機械室２ｂの内部に配置されており、下方の回転部５ａは、下方の機械室２ｂの内部に配置されている。
【００１７】
図２に示すように、構造部２は、マンコンベヤ１の乗降口１ａに、幅方向Ｄ１で離れて配置される一対の枠部２ｃ，２ｃを備えている。そして、床装置７は、一対の枠部２ｃ，２ｃに固定されている。なお、図２においては、下方の乗降口１ａの床装置７が図示されているが、上方の乗降口１ａの床装置７も、下方の乗降口１ａの床装置７と、同様の構成である。
【００１８】
枠部２ｃは、構造本体部２ａの上枠２ｄの上面に固定されている。なお、本実施形態においては、枠部２ｃは、構造本体部２ａとは別の枠材である、という構成であるが、斯かる構成に限られない。例えば、枠部２ｃは、構造本体部２ａの上枠２ｄで構成される、という構成でもよい。即ち、構造本体部２ａは、枠部２ｃを備えている、という構成でもよい。
【００１９】
床装置７は、マンコンベヤ１の乗降口１ａの床を構成するために、一部が一対の枠部２ｃ，２ｃの間に配置される床板部８と、床板部８の下方に配置され、床板部８を枠部２ｃに固定させる固定部９とを備えている。また、床装置７は、固定部９に力を加える加力部１０と、床板部８に固定され、構造部２に支持される支持部１１とを備えている。
【００２０】
床板部８は、上下方向Ｄ３に貫通する貫通孔８ａを備えており、床装置７は、床板部８の貫通孔８ａに挿入される挿入部材１２を備えている。そして、挿入部材１２は、床板部８に着脱可能に構成されている。本実施形態においては、挿入部材１２は、雄ねじ部１２ａを備えており、貫通孔８ａは、雄ねじ部１２ａと螺合する雌ねじ部８ｂを備えている。また、貫通孔８ａは、挿入部材１２の頭部１２ｂを収容する収容部８ｃを備えている。
【００２１】
なお、床板部８及び挿入部材１２は、斯かる構成に限られず、挿入部材１２は、貫通孔８ａに挿入されて且つ床板部８に着脱可能に構成されていればよい。例えば、挿入部材１２は、貫通孔８ａに挿入され、取付部材（例えば、ボルト）によって、床板部８に取り付けられる、という構成でもよい。
【００２２】
支持部１１は、床板部８と固定部９とを接続する接続部１１ａを備えており、固定部９は、接続部１１ａに連結される連結部９ａを備えている。そして、固定部９は、例えば軸及び軸受からなる回転接続機構によって、接続部１１ａに連結されている。本実施形態においては、接続部１１ａは、軸を有し、連結部９ａは、当該軸を支持する軸受を有する、という構成であるが、斯かる構成に限れず、例えば、連結部９ａは、軸を有し、接続部１１ａは、当該軸を支持する軸受を有する、という構成でもよい。
【００２３】
これにより、固定部９が連結部９ａを中心に回転することによって、固定部９は、床板部８に対して回転することができる。このように、連結部９ａは、回転中心Ｐ１を含んでいる。なお、本実施形態においては、接続部１１ａは、床板部８と別体である、という構成であるが、斯かる構成に限られず、例えば、接続部１１ａは、床板部８と一体である、という構成でもよい。
【００２４】
枠部２ｃは、上方から固定部９を止める第１停止部２ｅを備えており、固定部９は、第１停止部２ｅに上方から止められる第１被停止部９ｂを備えている。また、挿入部材１２は、上方から固定部９を止める第２停止部１２ｃを備えており、固定部９は、第２停止部１２ｃに上方から止められる第２被停止部９ｃを備えている。
【００２５】
枠部２ｃは、幅方向Ｄ１に貫通する孔部２ｆを備えており、第１停止部２ｅは、孔部２ｆの内周部で構成されている。そして、第１被停止部９ｂは、上下方向Ｄ３視で第１停止部２ｅと重なる固定位置に位置する際に、第１停止部２ｅに上方から止められる。本実施形態においては、第１被停止部９ｂが孔部２ｆの内部に位置することによって、第１被停止部９ｂは、固定位置に位置している。
【００２６】
挿入部材１２は、床板部８に取り付けられた際に、床板部８から下方に突出しており、第２停止部１２ｃは、挿入部材１２の下方の端部で構成されている。これにより、第２停止部１２ｃは、床板部８に対して固定されている。そして、第１被停止部９ｂが固定位置に位置する際に、第２被停止部９ｃは、第２停止部１２ｃに上方から止められる。
【００２７】
固定部９は、剛性を有している。なお、固定部９の材質は、特に限定されないが、例えば、固定部９は、金属で形成されている、という構成でもよい。また、固定部９は、連結部９ａ、第１被停止部９ｂ及び第２被停止部９ｃが一体となるように、形成されている。
【００２８】
第１被停止部９ｂが固定位置に位置する際に、連結部９ａ（具体的には、回転中心Ｐ１）は、幅方向Ｄ１において、第１被停止部９ｂと第２被停止部９ｃとの間に配置されている。具体的には、第１被停止部９ｂは、連結部９ａよりも、幅方向Ｄ１の外側に配置されており、第２被停止部９ｃは、連結部９ａよりも、幅方向Ｄ１の内側に配置されている。なお、第１被停止部９ｂは、連結部９ａよりも、上方に配置されており、第２被停止部９ｃは、連結部９ａよりも、上方に配置されている。
【００２９】
そして、第１被停止部９ｂが固定位置から退避位置に移動する際には、固定部９が連結部９ａを中心に回転することによって、第１被停止部９ｂは、上方に移動し、第２被停止部９ｃは、下方に移動する。また、第１被停止部９ｂが退避位置から固定位置に移動する際には、固定部９が連結部９ａを中心に回転することによって、第１被停止部９ｂは、下方に移動し、第２被停止部９ｃは、上方に移動する。
【００３０】
このように、第１被停止部９ｂが固定位置と退避位置との間を移動する際に、第１被停止部９ｂと第２被停止部９ｃとの移動方向（上方、下方）は、反対となる。なお、退避位置とは、第１被停止部９ｂが幅方向Ｄ１で第１停止部２ｅから離れる位置（即ち、第１被停止部９ｂが上下方向Ｄ３視で第１停止部２ｅと重ならない位置）である。
【００３１】
支持部１１は、接続部１１ａに固定されて構造部２の上に載置される載置部１１ｂを備えている。そして、支持部１１は、床板部８と載置部１１ｂとの間の上下方向Ｄ３の距離を変更する変更部１１ｃを備えている。これにより、床板部８と載置部１１ｂとの間の上下方向Ｄ３の距離が変更されることに伴って、第１被停止部９ｂと第１停止部２ｅとの上下方向Ｄ３の距離も変更することができる。
【００３２】
本実施形態においては、接続部１１ａは、雌ねじ部１１ｄを備えており、支持部１１は、雌ねじ部１１ｄと螺合する雄ねじ部材１１ｅを備えている。そして、載置部１１ｂは、雄ねじ部材１１ｅの頭部によって、構成され、変更部１１ｃは、雄ねじ部材１１ｅの雄ねじ部と雌ねじ部１１ｄとによって、構成されている。
【００３３】
加力部１０は、弾性変形することによって、固定部９に力を加える弾性材１０ａを備えている。弾性材１０ａは、支持部１１と固定部９との間に配置されている。なお、本実施形態においては、弾性材１０ａは、弦巻バネ（例えば、金属製、樹脂製）である、という構成であるが、斯かる構成に限られず、例えば、弾性材１０ａは、板バネ（例えば、金属製、樹脂製）である、という構成でもよく、また、例えば、弾性材１０ａは、ゴム又は弾性を有する樹脂である、という構成でもよい。
【００３４】
ここで、床装置７が構造部２に固定される状況について、図３を参照しながら説明する。
【００３５】
図３に示すように、第１被停止部９ｂが固定位置に位置している際には、第１被停止部９ｂは、第１停止部２ｅと上下方向Ｄ３視で重なっている。したがって、床装置７が構造部２に対して上方に移動した場合に、第１被停止部９ｂは、第１停止部２ｅに上方から止められる。このとき、第１被停止部９ｂが下方に移動するように（図３における左回りに）、固定部９が回転しようとするため、第２被停止部９ｃが上方に移動しようとする。
【００３６】
それに対して、第２停止部１２ｃが第２被停止部９ｃを上方から止めているため、固定部９が回転することは、規制される。これにより、第１被停止部９ｂが固定位置で位置し続けるため、床板部８が枠部２ｃから上方に離れることを抑制することができる。このように、第１被停止部９ｂが枠部２ｃの第１停止部２ｅに止められることによって、床装置７が構造部２に固定されている。
【００３７】
次に、床装置７が構造部２から取り外される方法について、図４及び図５を参照しながら説明する。
【００３８】
まず、図４に示すように、挿入部材１２が、床板部８から取り外される。そして、床装置７が構造部２から取り外される際には、図５に示すように、工具２０が用いられる。工具２０は、床板部８の雌ねじ部８ｂと螺合する雄ねじ部２０ａと、床板部８よりも上方に配置される把持部２０ｂと、固定部９を下方に押す押し部２０ｃとを備えている。なお、把持部２０ｂは、雄ねじ部２０ａよりも一方（上方）側に配置されており、押し部２０ｃは、雄ねじ部２０ａよりも他方（下方）側に配置されている。
【００３９】
そして、工具２０の雄ねじ部２０ａが床板部８の雌ねじ部８ｂと螺合することによって、工具２０は、床板部８に取り付けられると共に、床板部８から下方に突出する。これにより、工具２０の下方の端部で構成される押し部２０ｃが、固定部９の第２被停止部９ｃ（又はその近傍）を下方に押すため、第２被停止部９ｃが下方に移動するように（図５における右回りに）、固定部９が回転する。
【００４０】
このとき、取付具２０が床板部８から下方に突出する量は、挿入部材１２が床板部８から下方に突出する量（図２参照）よりも、大きくなっている。これにより、第１被停止部９ｂは、固定位置から退避位置に移動する。その後、工具２０の把持部２０ｂが把持されて、床装置７が持ち上げられることによって、床装置７が構造部２から取り外される。
【００４１】
なお、床装置７が構造部２から取り外される際に、工具２０の押し部２０ｃが、固定部９の第２被停止部９ｃ（又はその近傍）を下方に押すことによって、第２被停止部９ｃが下方に移動するように、固定部９が回転する。したがって、例えば、仮に、加力部１０が破損や劣化したり、連結部９ａが固着したりした場合でも、工具２０によって、固定部９を強制的に回転させることができるため、床装置７を構造部２から確実に取り外すことができる。
【００４２】
次に、床装置７が構造部２に取り付けられる方法について、図２、図４及び図５を参照しながら説明する。
【００４３】
まず、図５に示すように、工具２０が取り付けられた床装置７が、構造部２の上に載置される。このとき、弾性材１０ａは、圧縮するように弾性変形している。これにより、工具２０が床板部８に取り付けられ、第１被停止部９ｂが退避位置に位置している際に、加力部１０は、第１被停止部９ｂが退避位置から固定位置へ向かうように、固定部９に力を加えている。
【００４４】
そして、工具２０が床板部８から取り外されると、図４に示すように、弾性材１０ａが伸長するように復元するため、第２被停止部９ｃが上方に移動するように（図４における左回りに）、固定部９が回転する。これにより、第１被停止部９ｂは、退避位置から固定位置に移動する。したがって、第１被停止部９ｂを容易で且つ確実に固定位置に位置させることができる。
【００４５】
そして、図２に示すように、挿入部材１２が床板部８に取り付けられることによって、挿入部材１２は、床板部８から下方に突出する。これにより、挿入部材１２の下方の端部で構成される第２停止部１２ｃは、固定部９の第２被停止部９ｃを上方から止める。このようにして、床装置７が構造部２に取り付けられる。
【００４６】
このとき、弾性材１０ａが圧縮するように弾性変形しているため、第２被停止部９ｃは、第２停止部１２ｃに加圧して接触している。これにより、床装置７が揺れた場合でも、第２被停止部９ｃが第２停止部１２ｃに接触し続けているため、第２被停止部９ｃが第２停止部１２ｃに繰り返して衝突することを抑制することができる。したがって、衝突音が発生することを抑制することができるため、床装置７で騒音が発生することを抑制することができる。
【００４７】
ところで、図６に示すように、第１被停止部９ｂが固定位置から退避位置に移動する際に、第１被停止部９ｂ及び第１停止部２ｅ間には、隙間が必要となる。そして、当該隙間の上下方向Ｄ３の寸法Ｗ１が小さいほど、床装置７が構造部２に対して上方に離れる距離は、小さくなる。したがって、当該隙間の上下方向Ｄ３の寸法Ｗ１が小さいことが、好ましい。
【００４８】
そこで、第１被停止部９ｂが固定位置に位置する際に、幅方向Ｄ１における第１被停止部９ｂ（具体的には、端部）及び連結部９ａ（具体的には、回転中心Ｐ１）間の距離Ｗ２は、上下方向Ｄ３における第１被停止部９ｂ及び連結部９ａ間の距離Ｗ３よりも、小さくなっている。また、第１被停止部９ｂが固定位置に位置する際に、幅方向Ｄ１における第１被停止部９ｂ及び連結部９ａ間の距離Ｗ２は、幅方向Ｄ１における第２被停止部９ｃ及び連結部９ａ間の距離Ｗ４よりも、小さくなっている。
【００４９】
これにより、固定部９が回転する際における、第１被停止部９ｂの軌道Ｌ１の曲率半径Ｗ５は、大きくなる。したがって、隙間の上下方向Ｄ３の寸法Ｗ１を、小さくすることができる。なお、第１被停止部９ｂと第１停止部２ｅとの上下方向Ｄ３の距離が、変更部１１ｃによって、変更することができるため、隙間の上下方向Ｄ３の寸法Ｗ１は、変更部１１ｃによって、適切に設定される。
【００５０】
以上より、本実施形態に係るマンコンベヤ１は、乗降口１ａに、幅方向Ｄ１で離れて配置される一対の枠部２ｃ，２ｃと、前記枠部２ｃに固定される前記の床装置７と、を備える。
【００５１】
また、本実施形態に係るマンコンベヤ１の床装置７は、マンコンベヤ１の乗降口１ａの床を構成するために、幅方向Ｄ１で離れる一対の枠部２ｃ，２ｃの間に少なくとも一部が配置される床板部８と、前記床板部８の下方に配置され、前記枠部２ｃの第１停止部２ｅに止められることによって、前記床板部８を前記枠部２ｃに固定させる固定部９と、前記床板部８と前記固定部９とを接続する接続部１１ａと、を備える、マンコンベヤ１の床装置７であって、前記固定部９は、前記床板部８に対して回転又は揺動可能（本実施形態においては、回転可能）となるように接続部１１ａに連結される連結部９ａと、前記第１停止部２ｅに上方から止められる第１被停止部９ｂと、を備え、前記床装置７は、前記第１被停止部９ｂが上下方向Ｄ３視で前記第１停止部２ｅと重なる固定位置に位置する際に、前記固定部９を上方から止める第２停止部１２ｃを備え、前記固定部９は、前記第２停止部１２ｃに上方から止められる第２被停止部９ｃを備え、前記連結部９ａは、前記第１被停止部９ｂが固定位置に位置する際に、幅方向Ｄ１において、前記第１被停止部９ｂと前記第２被停止部９ｃとの間に配置される。
【００５２】
斯かる構成によれば、第１被停止部９ｂが固定位置に位置する際に、第１被停止部９ｂが上下方向Ｄ３視で枠部２ｃの第１停止部２ｅと重なっている。これにより、床板部８が枠部２ｃに対して上方に移動した場合に、第１被停止部９ｂが第１停止部２ｅに上方から止められる。このとき、第１被停止部９ｂが下方に移動するように、固定部９が回転（又は揺動）しようとするため、第２被停止部９ｃが上方に移動しようとする。
【００５３】
それに対して、第２停止部１２ｃが第２被停止部９ｃを上方から止めているため、固定部９が回転（又は揺動）することを規制することができる。これにより、第１被停止部９ｂが固定位置で位置し続けるため、床板部８が枠部２ｃから上方に離れることを抑制することができる。したがって、床板部８が枠部２ｃから不用意に外れることを防止することができる。
【００５４】
また、本実施形態に係るマンコンベヤ１の床装置７は、前記床板部８は、上下方向Ｄ３に貫通する貫通孔８ａを備え、前記床装置７は、前記貫通孔８ａに挿入されて且つ前記床板部８に着脱される挿入部材１２を備え、前記挿入部材１２は、前記床板部８から下方に突出する端部に、前記第２停止部１２ｃを備える、という構成である。
【００５５】
斯かる構成によれば、挿入部材１２が貫通孔８ａに挿入されて且つ床板部８に取り付けられることによって、挿入部材１２は、床板部８から下方に突出する。これにより、挿入部材１２の端部で構成される第２停止部１２ｃは、第２被停止部９ｃを上方から止めることができる。これにより、固定部９が回転（又は揺動）することを規制することができため、第１被停止部９ｂが固定位置で位置し続ける。
【００５６】
一方、挿入部材１２が床板部８から取り外されることによって、固定部９を回転（又は揺動）させることができる。これにより、固定部９が回転されることによって、第１被停止部９ｂを固定位置から退避位置に移動させることができる。したがって、挿入部材１２が床板部８に着脱されることによって、第１被停止部９ｂの位置を、固定位置と退避位置との間で切り替えることができる。
【００５７】
また、本実施形態に係るマンコンベヤ１の床装置７においては、前記第１被停止部９ｂが、幅方向Ｄ１で前記第１停止部２ｅから離れる退避位置から、固定位置へ向かうように、前記固定部９に力を加える加力部１０を備える、という構成である。
【００５８】
斯かる構成によれば、床板部８が枠部２ｃから取り外される際には、加力部１０の力に反して、固定部９に力が加えられることによって、第１被停止部９ｂが退避位置に位置される。一方で、床板部８が枠部２ｃに取り付けられる際には、固定部９に加えた力が除かれることによって、加力部１０が固定部９に力を加えるため、固定部９が回転（又は揺動）し、第１被停止部９ｂが退避位置から固定位置に移動する。
【００５９】
また、本実施形態に係るマンコンベヤ１の床装置７においては、前記第１被停止部９ｂが固定位置に位置する際に、幅方向Ｄ１における前記第１被停止部９ｂ及び前記連結部９ａ間の距離Ｗ２は、上下方向Ｄ３における前記第１被停止部９ｂ及び前記連結部９ａ間の距離Ｗ３よりも、小さい、という構成である。
【００６０】
斯かる構成によれば、固定部９が回転（又は揺動）することによって、第１被停止部９ｂが固定位置から退避位置に移動するために、第１被停止部９ｂと第１停止部２ｅとの間に隙間が必要となることに対して、当該隙間を小さくすることができる。これにより、床板部８を枠部２ｃから上方へ離れる距離を小さくすることができる。
【００６１】
なお、マンコンベヤ１及びマンコンベヤ１の床装置７は、上記した実施形態の構成に限定されるものではなく、また、上記した作用効果に限定されるものではない。また、マンコンベヤ１及びマンコンベヤ１の床装置７は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００６２】
（１）上記実施形態に係る床装置７においては、第１被停止部９ｂ及び第２被停止部９ｃの両方は、連結部９ａよりも、上方に配置されている、という構成である。しかしながら、床装置７は、斯かる構成に限られない。例えば、第１被停止部９ｂ又は第２被停止部９ｃの何れか一方が、連結部９ａよりも、上方に配置されており、何れか他方が、連結部９ａよりも、下方に配置されている、という構成でもよい。また、例えば、図７及び図８に示すように、第１被停止部９ｂ及び第２被停止部９ｃの両方が、連結部９ａよりも、下方に配置されている、という構成でもよい。
【００６３】
（２）また、上記実施形態に係る床装置７においては、床装置７に外力が働いていない通常時に、第２被停止部９ｃが第２停止部１２ｃに接している一方で、第１被停止部９ｂが第１停止部２ｅから離れている、という構成である。しかしながら、床装置７は、斯かる構成に限られない。要するに、床装置７が構造部２に対して上方に移動し、第１被停止部９ｂが第１停止部２ｅに上方から止められ、固定部９が回転した際に、第２被停止部９ｃが第２停止部１２ｃに接して上方から止められる、という構成であればよい。
【００６４】
例えば、床装置７に外力が働いていない通常時に、第１被停止部９ｂが第１停止部２ｅに接している一方で、第２被停止部９ｃが第２停止部１２ｃから離れている、という構成でもよい。また、例えば、床装置７に外力が働いていない通常時に、第２被停止部９ｃが第２停止部１２ｃから離れていると共に、第１被停止部９ｂが第１停止部２ｅから離れている、という構成でもよい。また、例えば、図７に示すように、床装置７に外力が働いていない通常時に、第２被停止部９ｃが第２停止部１２ｃに接していると共に、第１被停止部９ｂも第１停止部２ｅに接している、という構成でもよい。
【００６５】
（３）また、上記実施形態に係る床装置７においては、加力部１０は、第１被停止部９ｂが退避位置に位置する際に、第１被停止部９ｂが退避位置から固定位置へ向かうように、固定部９に力を加える、という構成である。しかしながら、床装置７は、斯かる構成に限られない。例えば、図７及び図８に示すように、加力部１０は、第１被停止部９ｂが固定位置に位置する際に、第１被停止部９ｂが固定位置から退避位置へ向かうように、固定部９に力を加える、という構成でもよい。
【００６６】
図７及び図８に係る床装置７においては、図７に示すように、挿入部材１２が床板部８に取り付けられることによって、第２被停止部９ｃは、第２停止部１２ｃに接して上方から止められている。これにより、第１被停止部９ｂが固定位置に位置している。このとき、第２被停止部９ｃは、加力部１０から加えられる力によって、第２停止部１２ｃに加圧して接触している。
【００６７】
一方、挿入部材１２が床板部８から取り外されることによって、図８に示すように、固定部９は、加力部１０から加えられる力によって、回転する。具体的には、第１被停止部９ｂが下方に移動するように（図８における左回りに）、固定部９が回転する。これにより、第１被停止部９ｂが固定位置から退避位置に移動する。そして、床板部８に工具２０が取り付けられて、床装置７が構造部２から取り外される。なお、このとき、工具２０は、固定部９（第２被停止部９ｃ）から離れている。
【００６８】
（４）また、上記実施形態に係る床装置７においては、第２停止部１２ｃは、床板部８に取り付けられる挿入部材１２に設けられている、という構成である。しかしながら、床装置７は、斯かる構成に限られない。例えば、図９及び図１０に示すように、床板部８は、第２停止部８ｄを備えている、という構成でもよい。また、例えば、図１１及び図１２に示すように、支持部１１は、第２停止部１１ｆを備えている、という構成でもよい。
【００６９】
（５）また、上記実施形態に係る床装置７においては、第２停止部１２ｃを有する挿入部材１２が、床板部８に対して着脱される、即ち、第２停止部１２ｃが存在する状態と存在しない状態とが、切り替えられる、という構成である。しかしながら、床装置７は、斯かる構成に限られない。例えば、図９〜図１２に示すように、第２停止部８ｄ，１１ｆは、常時、存在している、という構成でもよい。なお、図９及び図１１に係る床装置７においては、挿入部材１２は、床板部８の貫通孔８ａを閉じるために、床板部８に取り付けられており、床板部８の貫通孔８ａから下方に突出していない。
【００７０】
（６）また、上記実施形態に係る床装置７においては、工具２０の押し部２０ｃは、固定部９の第２被停止部９ｃ（又はその近傍）を押す、という構成である。しかしながら、床装置７は、斯かる構成に限られない。例えば、図１２に示すように、取付具２０の押し部２０ｃは、固定部９の第２被停止部９ｃと異なる部分９ｄを押す、という構成でもよい。
【００７１】
取付具２０が固定部９を押す構成においては、床板部８は、上下方向Ｄ３に貫通する貫通孔８ａを備え、固定部９は、貫通孔８ａと上下方向Ｄ３で対面する対面部９ｃ，９ｄを備え、連結部９ａは、第１被停止部９ｂが固定位置に位置する際に、幅方向Ｄ１において、第１被停止部９ｂと対面部９ｃ，９ｄとの間に配置される。そして、図１１及び図１２に係る床装置７においては、第２被停止部９ｃと対面部９ｄとは、離れている。一方、上記実施形態に係る床装置７（図１３〜図１８に係る床装置７も同様）においては、第２被停止部９ｃと対面部９ｃとは、同じ部分又は近傍の部分である。
【００７２】
（７）また、上記実施形態に係る床装置７においては、加力部１０は、弾性材１０ａを備えており、弾性材１０ａの弾性力によって固定部９に力を加えている、という構成である。しかしながら、床装置７は、斯かる構成に限られない。例えば、加力部１０は、磁性部を備えており、磁性部と固定部９との間に発生する磁力によって固定部９に力を加えている、という構成でもよい。
【００７３】
また、例えば、図１３及び図１４に示すように、加力部１０は、固定部９に接続される錘１０ｂを備えており、錘１０ｂの重力によって固定部９に力を加えている、という構成でもよい。なお、図１３及び図１４に係る加力部１０は、錘１０ｂと固定部９とを接続する紐体１０ｃを備えている。
【００７４】
（８）また、上記実施形態に係る床装置７においては、第１被停止部９ｂが退避位置に位置する際に、固定部９が加力部１０から力を加えられることによって、第１被停止部９ｂが退避位置から固定位置に移動する、という構成である。しかしながら、床装置７は、斯かる構成に限られない。例えば、図１５及び図１６に示すように、床装置７が加力部１０を備えておらず、第１被停止部９ｂが退避位置に位置する際に、固定部９の重力バランスによって、第１被停止部９ｂが退避位置から固定位置に移動する、という構成でもよい。
【００７５】
図１５及び図１６に係る床装置７においては、図１６に示すように、第１被停止部９ｂが退避位置に位置する際には、固定部９は、重力バランスによって、第１被停止部９ｂが退避位置から固定位置へ向かうように、回転しようとしている。これにより、第２被停止部９ｃは、工具２０の押し部２０ｃに加圧して接触している。したがって、工具２０が床板部８から取り外された場合には、固定部９が重力バランスによって回転するため、図１５に示すように、第１被停止部９ｂが退避位置から固定位置に移動する。
【００７６】
（９）また、上記実施形態に係る床装置７においては、第１被停止部９ｂが固定位置に位置する際に、幅方向Ｄ１における第１被停止部９ｂ及び連結部９ａ間の距離Ｗ２は、上下方向Ｄ３における第１被停止部９ｂ及び連結部９ａ間の距離Ｗ３よりも、小さい、という構成である。しかしながら、床装置７は、斯かる構成に限られない。例えば、第１被停止部９ｂが固定位置に位置する際に、幅方向Ｄ１における第１被停止部９ｂ及び連結部９ａ間の距離Ｗ２は、上下方向Ｄ３における第１被停止部９ｂ及び連結部９ａ間の距離Ｗ３以上である、という構成でもよい。
【００７７】
（１０）また、上記実施形態に係る床装置７においては、第１被停止部９ｂが固定位置に位置する際に、幅方向Ｄ１における第１被停止部９ｂ及び連結部９ａ間の距離Ｗ２は、幅方向Ｄ１における第２被停止部９ｃ及び連結部９ａ間の距離Ｗ４よりも、小さい、という構成である。しかしながら、床装置７は、斯かる構成に限られない。例えば、第１被停止部９ｂが固定位置に位置する際に、幅方向Ｄ１における第１被停止部９ｂ及び連結部９ａ間の距離Ｗ２は、幅方向Ｄ１における第２被停止部９ｃ及び連結部９ａ間の距離Ｗ４以上である、という構成でもよい。
【００７８】
（１１）また、上記実施形態に係る床装置７においては、床板部８の一部が、一対の枠部２ｃ，２ｃの間に配置されている、という構成である。しかしながら、床装置７は、斯かる構成に限られない。例えば、床板部８の全部が、一対の枠部２ｃ，２ｃの間に配置されている、という構成でもよい。
【００７９】
（１２）また、上記実施形態に係る床装置７においては、固定部９は、それぞれの枠部２ｃ，２ｃに対して設けられる、即ち、床板部８の幅方向Ｄ１の両側に設けられる、という構成である。しかしながら、床装置７は、斯かる構成に限られない。例えば、固定部９は、一方の枠部２ｃに対して設けられる、即ち、床板部８の幅方向Ｄ１の一方側のみに設けられる、という構成でもよい。
【００８０】
（１３）また、上記実施形態に係る床装置７においては、第１被停止部９ｂは、連結部９ａよりも、幅方向Ｄ１の外側に配置されており、第２被停止部９ｃは、連結部９ａよりも、幅方向Ｄ１の内側に配置されている、という構成である。しかしながら、床装置７は、斯かる構成に限られない。例えば、第１被停止部９ｂは、連結部９ａよりも、幅方向Ｄ１の内側に配置されており、第２被停止部９ｃは、連結部９ａよりも、幅方向Ｄ１の外側に配置されている、という構成でもよい。
【００８１】
（１４）また、上記実施形態に係る床装置７は、支持部１１が構造部２の上に載ることによって、構造部２に支持されている、という構成である。しかしながら、床装置７は、斯かる構成に限られない。例えば、床装置７は、床板部８が構造部２の上に載ることによって、構造部２に支持されている、という構成でもよい。
【００８２】
（１５）また、上記実施形態に係る床装置７においては、挿入部材１２が挿入される床板部８の貫通孔８ａと、工具２０が挿入される床板部８の貫通孔８ａとは、共通の貫通孔８ａである、という構成である。しかしながら、床装置７は、斯かる構成に限られない。例えば、挿入部材１２が挿入される床板部８の貫通孔８ａと、工具２０が挿入される床板部８の貫通孔８ａとは、別の貫通孔である、という構成でもよい。
【００８３】
（１６）また、上記実施形態に係るマンコンベヤ１においては、工具２０は、床板部８の貫通孔８ａと螺合することによって、床板部８に取り付けられる、という構成である。しかしながら、マンコンベヤ１は、斯かる構成に限られない。例えば、取付具２０は、貫通孔８ａに挿入されて且つ床板部８の下面に引っ掛けられることによって、床板部８に取り付けられる、という構成でもよい。
【００８４】
（１７）また、上記実施形態に係るマンコンベンヤ１においては、枠部２ｃは、幅方向Ｄ１に貫通する孔部２ｆを備えており、第１停止部２ｅは、孔部２ｆの内周部で構成されている、という構成である。しかしながら、マンコンベヤ１は、斯かる構成に限られない。例えば、図１７及び図１８に示すように、枠部２ｃは、幅方向Ｄ１に突出する突出部２ｇを備えており、第１停止部２ｅは、突出部２ｇの下面部で構成されている、という構成でもよい。
【００８５】
（１８）また、マンコンベンヤ１においては、床板部８及び固定部９を有する床装置７が、少なくとも一つ備えられている、という構成であればよい。例えば、上方及び下方のうち一方の乗降口１ａの床装置７のみが、床板部８及び固定部９を有し、他方の乗降口１ａの床装置は、床板部８のみを有し、固定部９を有していない、という構成でもよい。また、上方（又は下方）の乗降口１ａの複数の床装置７のうち、一部のみが、床板部８及び固定部９を有し、他部が、床板部８のみを有し、固定部９を有していない、という構成でもよい。
【００８６】
（１９）また、上記実施形態に係る床装置７においては、固定部９は、床板部８に対して回転可能となるように、連結部９ａで接続部１１ａに連結されている、という構成である。しかしながら、床装置７は、斯かる構成に限られない。例えば、図１９及び図２０に示すように、固定部９は、床板部８に対して揺動可能となるように、連結部９ａで接続部１１ａに連結されている、という構成でもよい。以下、図１９及び図２０に係る固定部９の構成について、説明する。
【００８７】
固定部９は、剛性を有する剛性部９ｅと、弾性を有する弾性部９ｆとを備えており、剛性部９ｅは、弾性部９ｆに固定されており、弾性部９ｆは、接続部１１ａに固定されている。そして剛性部９ｅは、第１被停止部９ｂ及び第２被停止部９ｃを備えており、弾性部９ｆは、連結部９ａを備えている。
【００８８】
これにより、固定部９が連結部９ａを中心に揺動することによって、固定部９は、床板部８に対して揺動することができる。このように、固定部９は、弾性部９ｆからなる揺動接続機構によって、接続部１１ａに連結されており、連結部９ａは、揺動中心（揺動の基点となる位置）Ｐ２を含んでいる。なお、固定部９を接続部１１ａに連結する揺動接続機構の構成は、特に限定されない。
【００８９】
そして、第１被停止部９ｂが固定位置に位置する際に、連結部９ａ（具体的には、揺動中心Ｐ２）は、幅方向Ｄ１において、第１被停止部９ｂと第２被停止部９ｃとの間に配置されている。これにより、第１被停止部９ｂが固定位置から退避位置に移動する際には、固定部９が連結部９ａを中心に揺動することによって、第１被停止部９ｂは、上方に移動し、第２被停止部９ｃは、下方に移動する。
【００９０】
また、第１被停止部９ｂが退避位置から固定位置に移動する際には、固定部９が連結部９ａを中心に揺動することによって、第１被停止部９ｂは、下方に移動し、第２被停止部９ｃは、上方に移動する。このように、第１被停止部９ｂが固定位置と退避位置との間を移動する際に、第１被停止部９ｂと第２被停止部９ｃとの移動方向（上方、下方）は、反対となる。
【００９１】
また、図１９及び図２０においては、弾性部９ｆのうち、剛性部９ｅ及び接続部１１ａに固定されておらず剛性部９ｅ及び接続部１１ａから離れている中間部分が、弾性変形可能である。なお、弾性部９ｆの構成は、特に限定されない。図１９及び図２０においては、弾性部９ｆは、板バネとしているが、例えば、弾性部９ｆは、弦巻バネ又は弾性を有する樹脂としてもよい。
【００９２】
そして、図１９に示すように、固定部９に外力が働いていない状態においては、弾性部９ｆが弾性変形していないため、第１被停止部９ｂは、固定位置に位置している。したがって、床装置７が構造部２に対して上方に移動した場合に、第１被停止部９ｂは、第１停止部２ｅに上方から止められる。なお、弾性部９ｆは、このときに、座屈及び破損しないような上下方向Ｄ３に対する強度を有している。
【００９３】
また、図２０に示すように、工具２０の押し部２０ｃが、固定部９の第２被停止部９ｃ（又はその近傍）を下方に押した際には、弾性部９ｆは、湾曲するように弾性変形する。これにより、第２被停止部９ｃが下方に移動するように、固定部９が揺動し、第１被停止部９ｂは、退避位置に移動する。なお、固定部９への外力が除かれると、図１９に示すように、弾性部９ｆが復元することによって、第１被停止部９ｂは、退避位置から固定位置に移動する。
【符号の説明】
【００９４】
１…マンコンベヤ、１ａ…乗降口、２…構造部、２ａ…構造本体部、２ｂ…機械室、２ｃ…枠部、２ｄ…上枠、２ｅ…第１停止部、２ｆ…孔部、２ｇ…突出部、３…搬送部、３ａ…走行部、３ｂ…ステップ、４…手摺部、５…駆動部、５ａ…回転部、５ｂ…駆動源、６…制御部、７…床装置、８…床板部、８ａ…貫通孔、８ｂ…雌ねじ部、８ｃ…収容部、８ｄ…第２停止部、９…固定部、９ａ…連結部、９ｂ…第１被停止部、９ｃ…第２被停止部（対面部）、９ｄ…対面部、９ｅ…剛性部、９ｆ…弾性部、１０…加力部、１０ａ…弾性材、１０ｂ…錘、１０ｃ…紐体、１１…支持部、１１ａ…接続部、１１ｂ…載置部、１１ｃ…変更部、１１ｄ…雌ねじ部、１１ｅ…雄ねじ部材、１１ｆ…第２停止部、１２…挿入部材、１２ａ…雄ねじ部、１２ｂ…頭部、１２ｃ…第２停止部、２０…工具、２０ａ…雄ねじ部、２０ｂ…把持部、２０ｃ…押し部、Ｄ１…幅方向、Ｄ３…上下方向
【図１】
2020066507.tif 000003
【図２】
2020066507.tif 000004
【図３】
2020066507.tif 000005
【図４】
2020066507.tif 000006
【図５】
2020066507.tif 000007
【図６】
2020066507.tif 000008
【図７】
2020066507.tif 000009
【図８】
2020066507.tif 000010
【図９】
2020066507.tif 000011
【図１０】
2020066507.tif 000012
【図１１】
2020066507.tif 000013
【図１２】
2020066507.tif 000014
【図１３】
2020066507.tif 000015
【図１４】
2020066507.tif 000016
【図１５】
2020066507.tif 000017
【図１６】
2020066507.tif 000018
【図１７】
2020066507.tif 000019
【図１８】
2020066507.tif 000020
【図１９】
2020066507.tif 000021
【図２０】
2020066507.tif 000022